(57)【要約】      （修正有）【課題】  水引の新しい用い方による表現で、夜空に舞い上がる色鮮やかな花火を再現する花火絵すなわち立体水引花火絵の製作方法に関する。【解決手段】色付台紙１に花火の全景下絵を書き込んだトレーシングペーパから絵の形を透写する。下絵に描かれた基本絵の下地に花火のバックになる廻りの情景５，６を先に絵の具や金粉または蛍光塗料ペンキを用いて花火を引き立つように染め描き上げる。次に水引の両端を斜めに切り落とした長短の長さの貼付け水引８を強力な糊を用いて剥がれにくい状態で花火を描写する。【選択図】        図２
2005219470.tif 000002
【特許請求の範囲】
【請求項１】
色付台紙（１）に花火の全景下絵（３）を書きこんだトレーシングペーパー（２）を色付台紙（１）の上に重ね当て、トレーシングペーパー（２）に描き込んだ全景下絵（３）を鉄筆などでなぞり色付台紙（１）に絵の形を透写する。色付台紙（１）に描き込んだ全景下絵（３）の絵の中で花火を上げるときの情景及びその背景等も含む箇所などに当る所を描写した全景下絵（３）に描かれる煙り（４）は絵の具等により染めて煙り（４）を描写するまた水性などの塗布金粉（１０）等を筆に塗布し、網や歯ブラシもしくは霧吹きのような道具を併用して細かい金の粉を塗布金粉（１０）で塗布して花火破裂景などを描写する、また家の灯り（５）や水に映った光（６）などは、蛍光塗料のペンキなどを用い描写するまた絵の具等と併用して描写することもあり、打ち上げられた花火が夜空に昇っていく様の、花火打上煙火（７）を描写するときは、色とりどりの水引を用いる。
また花火を打上げる様子から、花火に火を付け打ち上がる瞬間に見える燃え上がる様子から打上がりながら破裂のときに見せる花火の輝きなどの描写の表現などには、結び水引（９）の結び玉の工夫で描写し強力な糊などを用いて容易に剥がれにくい状態で貼付けて用いる。
【請求項２】
後に残る光の線や破裂した花火の瞬時の鏤めた光の飛び様の花火打上煙火（７）や破裂した花火の鏤めた光が描く光の飛び様など描写するときは、色とりどりの水引を用いる。すなわち貼付け水引（８）や結び水引（９）などを貼付けて描写する。
またこの水引の材質のもつ輝きと色とりどりの、金・銀・赤・シルバーなど様々な色鮮やかな水引花火の光と合致することを活かして、夜空に打ち上がるあの花火の光の一瞬に輝き消えていく迄の夜空に描く花火を立体的に表現するにあたり、様々な水引の長短材料を用いて表現する。
水引の長さは全景下絵（３）で描いた花火の描写に沿って任意に切り、その両端は斜に切り落とす。水引の切り口がそのままでは厚みの形状を残した形になるため。花火の破裂したあとの先端が鮮やかに残像に残りそして消えていく様子を表現するにあたり破裂の中心の始まりそして破裂し広がり消え去ろうとする花火を表現するに当り、水引の先端を斜に切り落として利用すると、花火が描写する鮮やかな花火絵の破裂する様子を十分に表現することができる。このように水引の両端を斜に切り落とすことにより、水引を用いた花火の描写が立体的に引き立つ。花火の描写に沿って、水引の両端を斜に切り落とした長短の長さの貼付け水引（８）を強力な糊などを用いて容易に剥がれにくい状態で打ち上げれた花火が描写する花火絵にそって貼付けていくことにより、鮮やかな色彩が持つ水引が立体感のある花火の絵を表現する事が出来る。また打ち上げられた花火が夜空の中空で破裂する時に光りの固まりの状態で鮮やかに破裂する様子の箇所を、水引を結ぶ形状の手法に淡路結びやこま結びなどの結びを応用して結び水引（９）を用いると、立体破裂の様を十分に表現することになる。結び水引（９）を強力な糊などを用いて容易に剥がれにくい状態で貼付けていくことにより打上げの瞬時の破裂の描写瞬間や夜空に打ち上げれた花火が破裂していく様子を表現する方法を用いることにより新しい絵の表現が出来上がる。このようにして水引の材質のもつ輝きと色を用いると花火の放つ自然色と光の輝きを再現することが出来るので、水引を紐としての使い方ではなく絵を表現することが出来ることを特徴とする水引の使い方による立体水引花火絵の製作方法に関する。
【請求項３】
華やかに鏤めた花火の描く色のついた花火の絵を水引で表現した後の工程に表現された色付台紙（１）の絵を引き立たせる為に、塗布金粉（１０）を花火の描写にそって蒔き散らすように散布したり、透明の艶ニス（１１）などをスプレー容器などを用いたりしてスプレー状に吹き付けて、色付台紙（１）に描き用いた絵の具や金粉そして貼付けた水引などを色付台紙（１）に密着させることと、容易に変色ならびに剥がれたりすることがなく長期鑑賞作品として残すことが出来ることを目的とし、更に仕上がった作品が引き立つようにし、自然乾燥による乾かし方で、絵全体が夜空において鮮やかに光り輝きを現わすように艶が十分引き出せるように自然乾燥で乾かして仕上げ、額縁に入れる時は、厚みがでている為、額縁の裏面に用いている板状の押え板の三面もしくは四面を裏面板の同材質を用いても良い、また適度な材質を用いて厚みを作り空間を作るように細工し、市販の額を簡易に使えるように使うことも出来、額飾りにはめる事も出来る。  このように絵を表現出来るようにしたことを特徴とする水引の使い方による立体水引花火絵の製作方法。
【発明の詳細な説明】
【技術分野】
【０００１】  本発明は、色とりどりの素材の紙のこより、また紙のこよりの上に、絹糸や金・銀・パールなどの糸を巻き付けた紙のこよりなどから作られる水引の材質のもつ輝くこよりなどを用いて夜空に打上げられた花火が描写するその輝きを実写したように、水引のこよりの両先端を斜に切り落とし長短にカットした水引または水引の結びによる立体感を引き出し、色付台紙（１）に花火の全景下絵（３）のデザイン絵を描いた全景下絵（３）に、色とりどりの水引を強力な糊などを用いて容易に剥がれにくい状態で貼付けていくことによりこより状の水引を貼付けていきながら描写にそって描いて行く、立体水引花火絵の製作方法に関するものである。
【背景技術】
【０００２】  従来の貼付け絵の製作方法には、和紙等のちぎり取り紙をちぎり取って得た貼付け片紙片を葉書や白地のうちわなどのベースシートに貼るちぎり絵の製作方法などがある。（例えば、特許文献１参照。）また下絵に複数個のピースの一部を重ねて下絵のベース上に貼り付けることで立体感を表現する重ね貼りの製作方法などがある。（例えば、特許文献２参照。）また水引材料を用い四季折々の花を実体表現した編み上げた作品や平状に花を表現して台紙に貼り付け手法で描いた花作品等がある。（非特許文献１参照。）
以下、図２、図３、図４により従来の絵の製作方法について説明する。
【特許文献１】    特開２０００−１４１９９８号公報    （第１ページ、図２）
【特許文献２】    特開２００２−２６４６００号公報    （第２ページ、図３）
【非特許文献１】  水引作品集より                      （第２ページ、図４）
【発明の開示】
【発明が解決しようとする課題】
【０００３】  これは次のような手法目的で描写したものである。
イ．写真機などで、写真の紙に花火の描写を写すという手法で表すことはあったがこれは平面の中での表現に限定された描写法である。
ロ．デッサン及び絵画などのペンもしくは絵筆などによる単筆の色付きもしくは着色塗布剤道具を用いて表現する描写法である。
ハ．ちぎり紙などを貼付ける絵書き手法はあるが、ちぎりに用いる紙は平面でありまた重ね貼りであってもどこまでも平面の紙のちぎり紙を主体にしている絵の手法である。
ゆえに一つ一つの細かな線や点のような貼り付けを主体にしていない表現法の絵である。
ニ．水引そのものを利用し作られた作品があるが、基本表現としては水引そのものを編むようにして花など様々の実体のものを立体的に編み上げたりして表現し、篭や鉢などに絡ませたり植えつけたりまた額縁に立体の様で納めたりする水引の素材を用いての編み式表現法がある。
【課題を解決するための手段】    色付台紙（１）に花火の全景下絵（３）を書きこんだトレーシングペーパー（２）を色付台紙（１）の上に重ね当て、トレーシングペーパー（２）に描き込んだ全景下絵（３）を鉄筆などでなぞり色付台紙（１）に絵の形を透写する。
色付台紙（１）に描き込んだ全景下絵（３）の絵の中で花火を上げるときの情景及びその背景等も含む箇所などに当る所を描写した全景下絵（３）に描かれる煙り（４）は絵の具等により染めて煙り（４）を描写するまた水性金粉を筆に塗布し、網や歯ブラシもしくは霧吹きのような道具を併用して細かい金の粉を塗布して花火破裂景などを描写する。
家の灯り（５）や水に映った光（６）などは、蛍光塗料のペンキを用い描写するまた絵の具等と併用して描写することもある。
打ち上げられた花火が夜空に昇っていく様子の、花火打上煙火（７）を描写するときは、色とりどりの水引を用いる。また打上げ様子で描写される花火に火を付けた様に見える燃え上がりの描写は、結び水引（９）の結び玉の表現で描写し、強力な糊等を用いて容易に剥がれにくい状態で貼付ける。また後に残る光の線や破裂した花火の瞬時の鏤めた光の飛ぶ様子の花火打上煙火（７）や破裂した花火の鏤めた光が描く光の飛ぶ様子など描写するときは、色とりどりの水引を用いる。すなわち貼付け水引（８）や結び水引（９）などを貼付けて描写する。この水引の材質のもつ輝きと色とりどりの、金・銀・赤・シルバーなど様々な色鮮やかな水引を用いて、夜空に打ち上がるあの光の一瞬に輝き消えていく迄の、夜空に描く花火を立体的に表現するに当り、水引を用いて表現する。
水引の長さは全景下絵（３）で描いた花火の描写に沿って、任意に切り、両端の切り口はそのままでは厚みの形状を残した形になり花火の破裂したあとの先端が鮮やかに残像に残りそして消えていく様を表現するにあたり破裂の中心の始まりそして破裂し広がり消え去ろうとする花火の先端を十分に表すことができるように、水引の両端を斜に切り落とすことにより、水引を用いた花火の描写が引き立つよう工夫した。
花火の描写に沿って、水引の両端を斜に切り落とした長短の長さの貼付け水引（８）を強力な糊等を用いて容易に剥がれにくい状態で打ち上げれた花火が描写する花火絵にそって貼付けていくことにより、水引による立体感のある花火を描写する事ができ、絵になる。また打ち上げれた花火が夜空の中空で破裂する時に光りの固まりの状態で鮮やかに破裂する様子の箇所を、水引を結ぶ形状の手法に淡路結びやこま結びなどの結びを応用して結び水引（９）で立体破裂の様子を表現する。結び水引（９）を強力な糊等を用いて容易に剥がれにくい状態で貼付けていくことにより、打上げの瞬時の破裂の描写瞬間や夜空に打ち上げれた花火が破裂していく様子を表す効果が出せる。このようにして水引を用いて花火の持つ色の光を表現することが出来る。このような水引を紐としての使い方ではなく、絵を表示することが出来ることを特徴とする水引の使い方による立体水引花火絵の製作方法。
【発明の効果】  色付台紙（１）を基本の紙として用いて、絵の表現を現わす新しい絵の製作方法であり水引の材質のもつ輝きと色とりどりの、金・銀・赤・シルバーなど様々な色鮮やかな水引は様々な結びによる表現での飾り効果の基本の水引の使い方と、また織るような使い方で例えば花等を表現し飾るという形などを最大に引き出した水引の手法はあった。水引の特性を更に引き出しまったく新しく使い方の方法を用いて夜空に打ち上がるあの光の一瞬に輝き消えていく迄の、夜空に描く花火を立体的に表現するに当り、水引の新しい用い方による表現で、夜空に舞い上がるあの色鮮やかな花火を再現する花火絵の製作方法すなわち立体水引花火絵の製作方法である。花火には様々な花火の打上げ形状があり、名称もついていることから、その表現を現わす手法に一定の作業工程を順に追って行うことにより、立体水引花火絵の製作が誰でも出来るような製作方法を確立した。また絵の製作の表現には奥が深く、人それぞれの持つセンス的な部分があるので、基本製作の絵は似ている事があっても様々な個性豊かな絵を現わす為、立体水引花火絵の製作で出来た作品は小作な作品から大作な作品も自在に表現出来この花火絵製作方法は従来に無かったゆえに、今後の花火絵の新しい表現による基礎絵画になり、その表現でつくり産み出された手法の立体絵は人を感動させるにも十分であり見ごたえのある絵を完成させる事が出来る。
【発明を実施するための最良の形態】  色付台紙（１）に花火の全景下絵（３）を書きこんだトレーシングペーパー（２）から絵の形を透写する。花火の全景下絵（３）に描かれた基本絵の下地の花火のバックになる廻りの情景を先に絵の具や金粉または蛍光塗料のペンキを用いて例えば水に映った光（６）や家の灯り（５）などを染めて花火を引き立つように染め描き上げる。次に鮮やかな広がりを現わした打上げ花火の形状にそって鮮明に細かな広がり迄を表現するにあたり、水引の両端を斜に切り落とした長短の長さの貼付け水引（８）を強力な糊などを用いて容易に剥がれにくい状態で打ち上げれた花火を描写することにより立体的に豪快な打上げ花火を描写出来るようにした立体水引花火絵の製作方法である。
【実施例】
【１】  花火の全景下絵（３）を描いたトレーシングペーパー（２）を設け、色付台紙（１）の上に重ね下絵を鉄筆などでなぞり、色付台紙（１）に透写する。【２】  絵の具や塗布金粉（１０）または蛍光塗料のペンキなどをもちいて、花火に点火して燃焼させる場面などを、花火の上がる状況から、破裂する音、光り、炎色、煙りなど花火に係わる全ての情景をも忠実に表現する為の下染めをする。【３】  水引の両端を斜に切り落とし、さまざまな長短の長さの貼付け水引（８）を作り強力な糊などを用いて容易に剥がれにくい状態で貼付け水引（８）を貼付けていく。【４】  打ち上げられた花火の演出とその破裂した色鮮やかな花火が描写するダイナミックな広がりとその花火の形状や花火が発光する色などを忠実に表現するにあたり色とりどりの水引を用いて描写する様にその花火の姿を再現するにあたって用いる貼付け水引（８）一本一本を強力な糊などを用いて容易に剥がれにくい状態で打ち上げられた花が咲き広がるような様子を表現出来るように貼付け水引（８）を単体もしくは複数に重ね貼り付けしたりして貼付け水引（８）による立体水引花火絵を仕上げていく。【５】  打ち上げられた花火が夜空の中空で破裂する時に光りの固まりの状態で鮮やかに破裂する様の箇所などを表現する時、水引を結ぶ形状の手法に淡路結びやこま結びなどの結びを応用して結び水引（９）で立体破裂の様子を表現していく。結び水引（９）を強力な糊などを用いて容易に剥がれにくい状態で貼付けていくことにより打上げの瞬時の破裂の描写瞬間や夜空に打ち上げられた花火が破裂していく様子を表していく。【６】  華やかに鏤めた花火の描く色の付いた光が現わした花火の絵を水引で表現した後に更に、表現された色付台紙（１）に絵を引き立たせる為に、塗布金粉（１０）を花火の描写に沿って蒔き散らすように散布する。【７】  透明の艶ニス（１１）をスプレー容器等を持ちいたりしてスプレー状に吹き付けて、色付台紙（１）に描き用いた絵の具や塗布金粉（１０）そして貼付けた水引などを色付台紙（１）に密着させ、容易に変色並びに剥がれたりする事が無く長期鑑賞作品として残す事が出来る事を目的とし、更に仕上がった作品が引き立つことも考慮して、透明の艶ニス（１１）を全面に吹き付ける。【８】  仕上げに乾燥させる。乾かすに当り自然乾燥による乾かし方で、絵全体が夜空において鮮やかに光り輝きを現わす様に艶が十分引き出るように自然乾燥で乾いていくようにして、仕上げる。【９】  額縁に入れる時は、厚みがでている為、額縁の裏面に用いている板状のものの三面もしくは四面を裏面板の同材質を用いても良いまた適度な材質を用いて厚みを作り空間を作るように細工した額を加工する事で、規格の額も容易に使う事が出来る【１０】  額裏板三面の時は、左右及び底面側をふさぎ、厚みの空間を作り、上部の面から挿入可能となる。【１１】  額裏板四面の時は、厚みの空間を作っている支え面の幅を利用して、裏板を止めている螺子部などをはずして現状の額と同じ使い方が可能である。
【産業上の利用可能性】  従来、水引は御祝儀袋に付いている飾りの素材で、金．銀．パールなど５００色以上もの種類が揃っています。昔ながらの「結び」手法での御祝儀袋だけでなく、現在では水引を応用した様々な水引小物なども盛んになりその使い用途も広がっています例えば四季折々の季節の花を編み上げて表現し花瓶等に飾る作品とか額に入れて鑑賞範囲と飾り場所も広がる等「結び」以外の作品もあります。
立体水引花火絵は、今迄に無かった水引の応用を更に広げる絵の作品を作り表現出来る立体水引花火絵の製作方法である。また、全く新しい手法で水引を用いて花火の立体感を引出している。さらに、絵の具や特殊塗料など含む金粉塗料なども用いて絵の印象を更に深めさせている。見た瞬時に、本物の花火体験を重ねあわせ鮮やかな花火の持つ破裂の様子や音や光り．煙り等瞬時に思い浮かべさせるような花火作品である。水引の持っている色鮮やかな多数の色を十分引出し、水引の持つ効果が更に高まった。ゆえに産業上使用効果としても新しい用途が広がり、この製作方法にそえば、多数の人たちにも作品製作を可能にし、容易に指導する事も出来る。また社会的にも各地の花火の作品を立体水引花火絵を飾ることが出来れば、花火が演出する美と感動は人の心をつかまえ一瞬の花火の輝きは人の心に一生残る豊かな思い出を築いてくれる、そんな花火演出を新しい絵画の表現により立体的な絵による描写法による花火絵を見た瞬時、花火の持っている感動を引出す事が出来、人の心を和ませ、豊かにできる立体水引花火絵である。このような立体水引花火絵の製作方法にそって誰でも容易に花火絵を作る事が出来る。また新しい趣味の教室も可能になるナど、社会的意義と美的感覚表現に新しい美術が確立されるなどの効果大である。
【図面の簡単な説明】
【図１】    「全景下絵を示した斜視図である。」
【図２】    「仕上げ手順を示した斜視図である。」
【図３】    「本発明を示した実施参照斜視図である。」
【図４】    「本体発明を額縁に納めた実施参照斜視図である。」
【符号の説明】
１    色付台紙
２    トレーシングペーパー
３    全景下絵
４    煙り
５    家の灯り
６    水に映った光
７    花火打上煙火
８    貼付け水引
９    結び水引
１０  塗布金粉
１１  艶ニス
１２  額縁
【図１】
2005219470.tif 000003
【図２】
2005219470.tif 000004
【図３】
2005219470.tif 000005
【図４】
2005219470.tif 000006